(57)【要約】【課題】映像データにおける所望の時間位置をより確実に容易に抽出することができる映像データ再生装置を提供する。【解決手段】映像データを一時停止させた時間位置を基準時間位置とし、第１の時間範囲を設定する。画面に、第１の時間範囲の両端と第１の時間範囲を分割したそれぞれの時間位置に第１のサムネイル画像を配置した再生開始位置選択画像Ｉｍ０を表示する。隣接する２つの第１のサムネイル画像の時間位置により決まる第２の時間範囲、または、１つの第１のサムネイル画像の時間位置を中心とした第２の時間範囲を設定する。画面に、第２の時間範囲の両端と、第２の時間範囲を分割したそれぞれの時間位置に第２のサムネイル画像を配置した再生開始位置詳細選択画像Ｉｍ１Ｒを表示して所望の時間位置を抽出する。【選択図】図１４
2014027380.tif 000002
【特許請求の範囲】
【請求項１】
正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定し、前記第１の時間範囲を所定の分割数で分割したそれぞれの第１の分割時間位置を抽出する第１の時間位置抽出部と、
前記第１の分割時間位置それぞれにおける前記映像データの第１のサムネイル画像を生成する第１のサムネイル生成部と、
前記第１の分割時間位置それぞれの時間位置に対応する位置にそれぞれの前記第１のサムネイル画像を配置させた再生開始位置選択画像を生成する再生開始位置選択画像生成部と、
前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定し、前記第２の時間範囲を所定の分割数で分割したそれぞれの第２の分割時間位置を抽出する第２の時間位置抽出部と、
前記第２の分割時間位置それぞれにおける前記映像データの第２のサムネイル画像を生成する第２のサムネイル生成部と、
前記第２の分割時間位置それぞれの時間位置に対応する位置にそれぞれの前記第２のサムネイル画像を配置させた再生開始位置詳細選択画像を生成する再生開始位置詳細選択画像生成部と、
を備えることを特徴とする映像データ再生装置。
【請求項２】
前記第１の時間位置抽出部は、前記映像データを再生している倍速数が大きいほど前記第１の時間範囲を長く設定することを特徴とする請求項１記載の映像データ再生装置。
【請求項３】
前記第２の時間位置抽出部は、
前記再生開始位置選択画像が画面に表示されている状態で、操作部における第１カーソルキーが操作された場合には、選択決定した前記第１のサムネイル画像と右隣の前記第１のサムネイル画像により決まる前記第２の時間範囲を設定し、
前記再生開始位置選択画像が画面に表示されている状態で、前記操作部における第２カーソルキーが操作された場合には、選択決定した前記第１のサムネイル画像と左隣の前記第１のサムネイル画像により決まる前記第２の時間範囲を設定する
ことを特徴とする請求項１または２に記載の映像データ再生装置。
【請求項４】
前記第２の時間位置抽出部は、前記再生開始位置選択画像が画面に表示されている状態で、前記操作部における第３カーソルキーが操作された場合には、選択決定した前記第１のサムネイル画像の時間位置を中心とした前記第２の時間範囲を設定することを特徴とする請求項３記載の映像データ再生装置。
【請求項５】
正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定し、
前記第１の時間範囲を所定の分割数で分割したそれぞれの第１の分割時間位置を抽出し、
前記第１の分割時間位置それぞれにおける前記映像データの第１のサムネイル画像を生成し、
前記第１の分割時間位置それぞれの時間位置に対応する位置にそれぞれの前記第１のサムネイル画像を配置させた再生開始位置選択画像を生成して画面に表示し、
前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定し、
前記第２の時間範囲を所定の分割数で分割したそれぞれの第２の分割時間位置を抽出し、
前記第２の分割時間位置それぞれにおける前記映像データの第２のサムネイル画像を生成し、
前記第２の分割時間位置それぞれの時間位置に対応する位置にそれぞれの前記第２のサムネイル画像を配置させた再生開始位置詳細選択画像を生成して前記画面に表示し、
前記再生開始位置詳細選択画像に基づいて前記映像データの再生開始位置を選択する
ことを特徴とする映像データ再生方法。
【請求項６】
コンピュータに、
正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定させる機能と、
前記第１の時間範囲を所定の分割数で分割したそれぞれの第１の分割時間位置を抽出させる機能と、
前記第１の分割時間位置それぞれにおける前記映像データの第１のサムネイル画像を生成させる機能と、
前記第１の分割時間位置それぞれの時間位置に対応する位置にそれぞれの前記第１のサムネイル画像を配置させた再生開始位置選択画像を生成させて画面に表示させる機能と、
前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定させる機能と、
前記第２の時間範囲を所定の分割数で分割したそれぞれの第２の分割時間位置を抽出させる機能と、
前記第２の分割時間位置それぞれにおける前記映像データの第２のサムネイル画像を生成させる機能と、
前記第２の分割時間位置それぞれの時間位置に対応する位置にそれぞれの前記第２のサムネイル画像を配置させた再生開始位置詳細選択画像を生成させて前記画面に表示させる機能と、
前記再生開始位置詳細選択画像に基づいて前記映像データの再生開始位置を選択させる機能と、
を実現させることを特徴とする映像データ再生プログラム。
【発明の詳細な説明】
【技術分野】
【０００１】
本発明は、１倍速を含む所定の倍速で正方向または逆方向に再生している映像データにおける所望の時間位置を容易に抽出することができる映像データ再生装置、映像データ再生方法、映像データ再生プログラムに関する。
【背景技術】
【０００２】
映像コンテンツを再生する映像データ再生装置において、ユーザが再生位置を目的とするシーンにすばやく到達させるため、映像データを所定の倍速で時間を進める方向である正方向に早送りしたり、時間を戻す方向である逆方向に早戻ししたりすることがある。早送り、早戻しの他に、映像データを一度に３０秒，６０秒等の固定の時間だけジャンプさせた後に１倍速の通常再生に移行させるジャンプ再生も用いられる。
【０００３】
これらの目的とするシーンを探すためのサーチ操作を行った場合、ユーザが所望する時間位置を通り越して通常再生に移行する場合がある。これは、ユーザが目的とするシーンに到達したことを認識し、リモートコントローラ等の操作部によって通常再生に移行させる操作をして、映像データ再生装置が操作部の操作に応じた動作を行うまでに所定の時間がかかるからである。
【０００４】
所望する時間位置を通り越した場合には、ユーザは、低い倍速で逆方向にサーチ操作を行って、改めて所望する時間位置を探さなければならない。所望する時間位置に到達させるために、複数回のサーチ操作を行う場合もある。特許文献１〜３には、このような従来の映像データ再生装置が有する問題点を改善するための手法が記載されている。
【先行技術文献】
【特許文献】
【０００５】
【特許文献１】特開２００５−２９３６８０号公報
【特許文献２】特開２００６−３２４８５０号公報
【特許文献３】特開２００７−２４３６３０号公報
【発明の概要】
【発明が解決しようとする課題】
【０００６】
特許文献１〜３に記載されている手法よりも確実に、映像データにおける所望の時間位置を容易に抽出することができる映像データ再生装置、映像データ再生方法、映像データ再生プログラムが望まれる。
【０００７】
本発明はこのような要望に対応するため、映像データにおける所望の時間位置をより確実に容易に抽出することができる映像データ再生装置、映像データ再生方法、映像データ再生プログラムを提供することを目的とする。
【課題を解決するための手段】
【０００８】
本発明は、上述した従来の技術の課題を解決するため、正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定し、前記第１の時間範囲を所定の分割数で分割したそれぞれの第１の分割時間位置を抽出する第１の時間位置抽出部（１３）と、前記第１の分割時間位置それぞれにおける前記映像データの第１のサムネイル画像を生成する第１のサムネイル生成部（１４）と、前記第１の分割時間位置それぞれの時間位置に対応する位置にそれぞれの前記第１のサムネイル画像を配置させた再生開始位置選択画像を生成する再生開始位置選択画像生成部（３１）と、前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定し、前記第２の時間範囲を所定の分割数で分割したそれぞれの第２の分割時間位置を抽出する第２の時間位置抽出部（１３）と、前記第２の分割時間位置それぞれにおける前記映像データの第２のサムネイル画像を生成する第２のサムネイル生成部（１４）と、前記第２の分割時間位置それぞれの時間位置に対応する位置にそれぞれの前記第２のサムネイル画像を配置させた再生開始位置詳細選択画像を生成する再生開始位置詳細選択画像生成部（３１）とを備えることを特徴とする映像データ再生装置を提供する。
【０００９】
上記映像データ再生装置において、前記第１の時間位置抽出部は、前記映像データを再生している倍速数が大きいほど前記第１の時間範囲を長く設定することが好ましい。
【００１０】
上記映像データ再生装置において、前記第２の時間位置抽出部は、前記再生開始位置選択画像が画面に表示されている状態で、操作部における第１カーソルキー（４０７）が操作された場合には、選択決定した前記第１のサムネイル画像と右隣の前記第１のサムネイル画像により決まる前記第２の時間範囲を設定し、前記再生開始位置選択画像が画面に表示されている状態で、前記操作部における第２カーソルキー（４０８）が操作された場合には、選択決定した前記第１のサムネイル画像と左隣の前記第１のサムネイル画像により決まる前記第２の時間範囲を設定することが好ましい。
【００１１】
上記映像データ再生装置において、前記第２の時間位置抽出部は、前記再生開始位置選択画像が画面に表示されている状態で、前記操作部における第３カーソルキー（４０９）が操作された場合には、選択決定した前記第１のサムネイル画像の時間位置を中心とした前記第２の時間範囲を設定することが好ましい
【００１２】
また、本発明は、上述した従来の技術の課題を解決するため、正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定し、前記第１の時間範囲を所定の分割数で分割したそれぞれの第１の分割時間位置を抽出し、前記第１の分割時間位置それぞれにおける前記映像データの第１のサムネイル画像を生成し、前記第１の分割時間位置それぞれの時間位置に対応する位置にそれぞれの前記第１のサムネイル画像を配置させた再生開始位置選択画像を生成して画面に表示し、前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定し、前記第２の時間範囲を所定の分割数で分割したそれぞれの第２の分割時間位置を抽出し、前記第２の分割時間位置それぞれにおける前記映像データの第２のサムネイル画像を生成し、前記第２の分割時間位置それぞれの時間位置に対応する位置にそれぞれの前記第２のサムネイル画像を配置させた再生開始位置詳細選択画像を生成して前記画面に表示し、前記再生開始位置詳細選択画像に基づいて前記映像データの再生開始位置を選択することを特徴とする映像データ再生方法を提供する。
【００１３】
さらに、本発明は、上述した従来の技術の課題を解決するため、コンピュータに、正方向または逆方向に再生している映像データを一時停止させた時間位置を基準時間位置とし、前記映像データを正方向に再生しているときには前記基準時間位置から逆方向に、前記映像データを逆方向に再生しているときには前記基準時間位置から正方向に第１の時間範囲を設定させる機能と、前記第１の時間範囲を所定の分割数で分割したそれぞれの第１の分割時間位置を抽出させる機能と、前記第１の分割時間位置それぞれにおける前記映像データの第１のサムネイル画像を生成させる機能と、前記第１の分割時間位置それぞれの時間位置に対応する位置にそれぞれの前記第１のサムネイル画像を配置させた再生開始位置選択画像を生成させて画面に表示させる機能と、前記再生開始位置選択画像における隣接する２つの前記第１のサムネイル画像の時間位置により決まる第２の時間範囲、または、前記再生開始位置選択画像における１つの前記第１のサムネイル画像の時間位置を中心とした前記第２の時間範囲を設定させる機能と、前記第２の時間範囲を所定の分割数で分割したそれぞれの第２の分割時間位置を抽出させる機能と、前記第２の分割時間位置それぞれにおける前記映像データの第２のサムネイル画像を生成させる機能と、前記第２の分割時間位置それぞれの時間位置に対応する位置にそれぞれの前記第２のサムネイル画像を配置させた再生開始位置詳細選択画像を生成させて前記画面に表示させる機能と、前記再生開始位置詳細選択画像に基づいて前記映像データの再生開始位置を選択させる機能とを実現させることを特徴とする映像データ再生プログラムを提供する。
【発明の効果】
【００１４】
本発明の映像データ再生装置、映像データ再生方法、映像データ再生プログラムによれば、映像データにおける所望の時間位置をより確実に容易に抽出することが可能となる。
【図面の簡単な説明】
【００１５】
【図１】一実施形態の映像データ再生装置を示すブロック図である。
【図２】第１実施形態の映像データ再生方法を示すフローチャートである。
【図３】図２中のステップＳ１３，Ｓ１８の詳細な手順を示すフローチャートである。
【図４】図２中のステップＳ１７，Ｓ１８の詳細な手順を示すフローチャートである。
【図５】図２中のステップＳ６において基準時間位置からの時間範囲の設定動作を説明するための概念図である。
【図６】図２中のステップＳ６において設定した時間範囲内で候補時間位置を抽出する動作を説明するための概念図である。
【図７】第１実施形態において画面に表示される再生開始位置選択画像の例を示す図である。
【図８】図７に示す状態からカーソル画像の位置を移動させた状態を示す図である。
【図９】再生開始位置選択画像において特定のサムネイル画像を選択確定させた状態を示す図である。
【図１０】具体的な時間位置を例示した再生開始位置選択画像を示す図である。
【図１１】図９の状態から右カーソルキーが押下された場合の再生開始位置詳細選択画像の例を示す図である。
【図１２】図９の状態から左カーソルキーが押下された場合の再生開始位置詳細選択画像の例を示す図である。
【図１３】図９の状態から下カーソルキーが押下された場合の再生開始位置詳細選択画像の例を示す図である。
【図１４】第１実施形態による具体的な一連の動作の例を示す図である。
【図１５】第２実施形態の映像データ再生方法を示すフローチャートである。
【図１６】図１５中のステップＳ３６において基準時間位置からの時間範囲の設定動作を説明するための概念図である。
【図１７】図１５中のステップＳ３６において設定した時間範囲内で候補時間位置を抽出する動作を説明するための概念図である。
【図１８】第２実施形態において画面に表示される再生開始位置選択画像の例を示す図である。
【図１９】図１８に示す状態からカーソル画像の位置を移動させて特定のサムネイル画像を選択確定させた状態を示す図である。
【発明を実施するための形態】
【００１６】
以下、映像データ再生装置、映像データ再生方法、映像データ再生プログラムの各実施形態について、添付図面を参照して説明する。
【００１７】
＜一実施形態の映像データ再生装置＞
一実施形態の映像データ再生装置１００は、映像データ再生装置１００の動作を制御する動作制御部１０と、コンテンツデータ等の各種のデータを記憶しているデータ管理部２０と、表示処理部３０とを備える。映像データ再生装置１００は、操作部の一例としてのリモートコントローラ４０によって操作される。映像データ再生装置１００によって再生された映像データは、映像表示装置５０に供給されて表示される。
【００１８】
動作制御部１０は、操作入力制御部１１，再生動作制御部１２，時間位置抽出部１３，サムネイル生成部１４を有する。データ管理部２０は、コンテンツデータ管理部２１とキャッシュ情報管理部２２とを有する。コンテンツデータ管理部２１は、映像データとしてのコンテンツデータを記憶している。表示処理部３０は、映像データ処理部３１と映像データ送出部３２とを有する。
【００１９】
リモートコントローラ４０は、コンテンツデータ管理部２１に記憶されているコンテンツデータを再生するための再生キー４０１と、再生しているコンテンツデータを停止させるための停止キー４０２とを有する。また、リモートコントローラ４０は、再生しているコンテンツデータを早送りするための早送りキー４０３と、早戻しするための早戻しキー４０４と、３０秒，６０秒等の固定の時間だけ正方向にジャンプさせるためのジャンプキー４０５とを有する。
【００２０】
リモートコントローラ４０は、決定キー４０６、右カーソルキー４０７、左カーソルキー４０８、下カーソルキー４０９、上カーソルキー４１０を有する。リモートコントローラ４０は、無線方式でも有線方式でもよく、無線の場合は、赤外線と電波のいずれを用いてもよい。リモートコントローラ４０の代わりに、映像データ再生装置１００の筐体に設けられた操作部であってもよい。
【００２１】
なお、各カーソルキーの方向を示す名称（左右上下）は以後の説明の便宜上付加したものであり、各キーに付加された機能を区別できればどのような名称でもよい。例えば「右」を「第１」、「左」を「第２」、「下」を「第３」、「上」を「第４」と置き換えてもよい。
【００２２】
コンテンツデータを再生するために再生キー４０１が押下されると、再生キー４０１に対応した遠隔制御信号が操作入力制御部１１に入力される。操作入力制御部１１は、コンテンツデータ管理部２１に記憶されているコンテンツデータを再生するよう再生動作制御部１２に指示する。再生動作制御部１２は、コンテンツデータ管理部２１からコンテンツデータを読み出すようコンテンツデータ管理部２１を制御する。
【００２３】
コンテンツデータはMPEG方式等の圧縮データとしてコンテンツデータ管理部２１に記憶されている。コンテンツデータ管理部２１から読み出されたコンテンツデータは、映像データ処理部３１に入力される。映像データ処理部３１は、圧縮データを伸張するデコーダを含む。映像データ処理部３１は、再生動作制御部１２による制御に基づいて、入力されたコンテンツデータをデコードする。
【００２４】
映像データ送出部３２は、映像データ処理部３１によってデコードされたコンテンツデータを、例えばHDMI（High-Definition Multimedia Interface）の映像伝送路によって映像表示装置５０へと送出する。
【００２５】
コンテンツデータを再生中に停止キー４０２が押下されると、停止キー４０２に対応した遠隔制御信号が操作入力制御部１１に入力される。操作入力制御部１１は、再生中のコンテンツデータを停止させるよう再生動作制御部１２に指示する。再生動作制御部１２は、コンテンツデータ管理部２１からのコンテンツデータの読み出しを停止させる。
【００２６】
コンテンツデータを再生中に早送りキー４０３が押下されると、早送りキー４０３に対応した遠隔制御信号が操作入力制御部１１に入力される。操作入力制御部１１は、再生中のコンテンツデータを所定の倍速で早送りさせるよう再生動作制御部１２に指示する。再生動作制御部１２は、コンテンツデータ管理部２１に記憶されているコンテンツデータを早送りで再生するようコンテンツデータ管理部２１を制御する。
【００２７】
コンテンツデータを再生中に早戻しキー４０４が押下されると、早戻しキー４０４に対応した遠隔制御信号が操作入力制御部１１に入力される。操作入力制御部１１は、再生中のコンテンツデータを所定の倍速で早戻しさせるよう再生動作制御部１２に指示する。再生動作制御部１２は、コンテンツデータ管理部２１に記憶されているコンテンツデータを早戻しで再生するようコンテンツデータ管理部２１を制御する。
【００２８】
コンテンツデータを再生中にジャンプキー４０５が押下されると、ジャンプキー４０５に対応した遠隔制御信号が操作入力制御部１１に入力される。操作入力制御部１１は、再生中のコンテンツデータを３０秒，６０秒等の固定の時間だけ正方向または逆方向にジャンプさせるよう再生動作制御部１２に指示する。コンテンツデータを正方向に再生中にジャンプキー４０５が押下されたら、正方向にジャンプさせ、コンテンツデータを逆方向に再生中にジャンプキー４０５が押下されたら、逆方向にジャンプさせる。
【００２９】
再生動作制御部１２は、再生中のコンテンツデータを固定の時間だけ正方向または逆方向にジャンプさせた時間位置から再生するようコンテンツデータ管理部２１を制御する。
【００３０】
決定キー４０６、右カーソルキー４０７、左カーソルキー４０８、下カーソルキー４０９、上カーソルキー４１０が押下されると、それぞれのキーに対応した遠隔制御信号が操作入力制御部１１に入力される。この場合の操作入力制御部１１及び再生動作制御部１２の動作については後述する。
【００３１】
時間位置抽出部１３は、リモートコントローラ４０によって後述する映像データにおける所望の時間位置を抽出するための操作がなされた場合に、操作入力制御部１１による指示に従って、再生中のコンテンツデータの所定の時間位置を抽出する。サムネイル生成部１４は、コンテンツデータ管理部２１より読み出したコンテンツデータに基づいて、時間位置抽出部１３が抽出した時間位置に対応したサムネイル画像を生成する。
【００３２】
時間位置抽出部１３が抽出した時間位置を示す情報とサムネイル生成部１４が生成したサムネイル画像は、キャッシュ情報管理部２２にキャッシュ情報として記憶される。
【００３３】
時間位置を示す情報とサムネイル画像は、映像データ処理部３１に入力される。キャッシュ情報管理部２２に記憶された時間位置を示す情報とサムネイル画像とがキャッシュ情報管理部２２より読み出されて、映像データ処理部３１に入力される場合もある。映像データ処理部３１は、コンテンツデータ管理部２１より読み出されてデコードされたコンテンツデータにサムネイル画像や文字または図形等の各種のオンスクリーンデータを重畳する。映像データ処理部３１は、オンスクリーンデータ生成部を含む。
【００３４】
映像データ送出部３２は、サムネイル画像やオンスクリーンデータが重畳されたコンテンツデータを映像表示装置５０へと送出する場合がある。
【００３５】
以上のように構成される映像データ再生装置１００において、所定の倍速で正方向または逆方向に再生している映像データにおける所望の時間位置を抽出するための具体的な動作（映像データ再生方法）を順に説明する。
【００３６】
＜第１実施形態の映像データ再生方法＞
以上説明した一実施形態の映像データ再生装置１００による動作であり、第１実施形態の映像データ再生方法について説明する。図２〜図１１を用いて説明する第１実施形態は、映像データを早送りまたは早戻しさせている場合に、ユーザが所望する時間位置を抽出して、通常再生に移行させる例を示している。図２に示すフローチャートの各ステップの処理は、動作制御部１０において実行される。
【００３７】
図２において、動作制御部１０は、コンテンツデータの再生中に、ステップＳ１にて、ｎ倍の高速再生の指示があったか否かを判定する。ｎは例えば絶対値が２以上の正または負の整数とする。一例として、早送りキー４０３が１回押下されると２倍速、２倍速の状態でさらに早送りキー４０３が１回押下されると３倍速と、早送りキー４０３の押下回数に応じて上限までｎが増加するものとする。早戻しキー４０４を押下した場合も同様である。
【００３８】
ｎ倍の高速再生の指示があれば（YES）、動作制御部１０は、ステップＳ２にて、ｎ倍の高速再生を実行させる。最初ｎは２または−２であるので、動作制御部１０は、正方向または逆方向に２倍速でコンテンツデータを再生させる。ｎ倍の高速再生の指示がなければ（NO）、動作制御部１０は、ステップＳ１の処理を繰り返す。
【００３９】
動作制御部１０は、ステップＳ３にて、通常再生への移行の指示があったか否かを判定する。再生キー４０１が押下されると１倍速の通常再生に移行させるものとする。通常再生への移行の指示があれば（YES）、動作制御部１０は、処理をステップＳ２２に移行させる。
【００４０】
通常再生への移行の指示がなければ（NO）、動作制御部１０は、ステップＳ４にて、再生開始位置を選択する操作がなされたか否かを判定する。再生開始位置を選択する操作とは、ユーザが、通常再生に移行させる時間位置を選択する操作である。第１実施形態においては、決定キー４０６が押下されると、再生開始位置を選択する操作に移行させるものとする。
【００４１】
再生開始位置を選択する操作がなければ（NO）、動作制御部１０は、ステップＳ１〜Ｓ４を繰り返すよう、処理をステップＳ１に戻す。上記のように、ステップＳ１にて早送りキー４０３または早戻しキー４０４が押下されるたびにｎが増加してより速い高速再生となる。
【００４２】
以下、再生開始位置を選択する操作がなされた場合の動作について説明する。ステップＳ４にて再生開始位置を選択する操作がなされたら（YES）、動作制御部１０は、処理をステップＳ５に移行させる。動作制御部１０は、ステップＳ５にて、早送りまたは早戻しの高速再生中のコンテンツデータを一時停止させる。
【００４３】
前述のように、ユーザは、目的とするシーンを探すためにコンテンツデータを高速再生させ、目的とするシーンに到達したことを認識して決定キー４０６を押下するので、コンテンツデータは、通常、目的とするシーンの時間位置を通り越した状態で一時停止となる。動作制御部１０内の時間位置抽出部１３は、ステップＳ６にて、候補時間位置を抽出する。
【００４４】
図５，図６を用いて、ステップＳ６における候補時間位置の抽出について説明する。決定キー４０６が押下されて一時停止したコンテンツデータの再生時間における時間位置をt0、ユーザが停止させようとする時間位置のシーンを確認して一時停止までに要する最大の時間（以下、遅延最大時間）をD、高速再生の倍率をnとする。遅延最大時間Dは、例えば１〜３秒と適宜設定すればよい。ユーザが遅延最大時間Dを設定できるようにしてもよい。
【００４５】
まず、時間位置抽出部１３は、図５の概念図に示すように、早送りの場合には、時間位置t0と、時間位置t0よりも前の時間位置t0-nDとの間の時間範囲TR1(+)を設定し、早戻しの場合には、時間位置t0と、時間位置t0よりも後の時間位置t0+nDとの間の時間範囲TR1(-)を設定する。時間位置t0は時間範囲TR1(+)または時間範囲TR1(-)を設定する際の基準時間位置である。
【００４６】
早送りの場合、時間位置t0は、ユーザが本来停止させようとした時間位置を過ぎた位置であるので、ユーザが本来停止させようとした時間位置は時間範囲TR1(+)内に位置する。早戻しの場合も同様に、時間位置t0は、ユーザが本来停止させようとした時間位置を過ぎた位置であるので、ユーザが本来停止させようとした時間位置は時間範囲TR1(-)内に位置する。
【００４７】
次に、時間位置抽出部１３は、時間範囲TR1(+)または時間範囲TR1(-)を所定の分割数ｘで分割する。分割数ｘは２以上の整数であり、第１実施形態では４とする。分割数ｘは３〜６が好ましく、４は特に好ましい。分割数ｘを時間範囲TR1(+)，TR1(-)の長さに応じて大きくするように設定してもよい。図６は、時間範囲TR1(+)を分割数ｘとして４で分割した状態を示している。
【００４８】
早送りの場合の動作と早戻しの場合は実質的に同じであるので、以下、早送りの場合で時間範囲TR1(+)を設定した場合について説明する。図６に示すように、時間位置t0〜t0-nDの時間範囲TR1(+)は、それぞれnD/4の時間を有する４つの領域に分割される。時間位置t0-nDを時間位置tnD10、時間位置t0を時間位置tnD14とし、時間位置tnD10から２〜４番目の領域の先頭の時間位置をそれぞれtnD11，tnD12，tnD13とする。
【００４９】
このように、時間位置抽出部１３（第１の時間位置抽出部）は、正方向または逆方向に再生している映像データを一時停止させた時間位置t0を基準時間位置とし、映像データを正方向に再生しているときには基準時間位置から逆方向に、映像データを逆方向に再生しているときには基準時間位置から正方向に第１の時間範囲（TR1(+)，TR1(-)）を設定している。時間位置抽出部１３は、第１の時間範囲を所定の分割数ｘで分割したそれぞれの第１の分割時間位置（tnD11〜tnD13）を抽出している。
【００５０】
時間位置抽出部１３が抽出した時間位置tnD10〜tnD14を示す情報は、サムネイル生成部１４に入力される。サムネイル生成部１４は、ステップＳ７にて、時間位置tnD10〜tnD14それぞれにおけるサムネイル画像を生成する。サムネイル生成部１４（第１のサムネイル生成部）は、第１の時間範囲の両端と第１の分割時間位置それぞれにおける映像データの第１のサムネイル画像を生成している。
【００５１】
動作制御部１０は、ステップＳ８にて、映像データ処理部３１によって再生開始位置選択画像を生成させるよう制御し、映像表示装置５０の画面に再生開始位置選択画像を表示させる。映像データ処理部３１は、再生開始位置選択画像生成部である。
【００５２】
図７は、映像表示装置５０の画面５０ｓに表示される再生開始位置選択画像Ｉｍ０の例を示している。再生開始位置選択画像Ｉｍ０は、所定の時間範囲のコンテンツデータを水平方向に伸びたバーで概念的に示すバー画像Ｉｍ0bを含む。バー画像Ｉｍ0bの時間範囲は、時間範囲TR1(+)を含む範囲である。図７に示す例では、バー画像Ｉｍ0bは、時間位置tnD10よりも左側に伸び、時間位置tnD14よりも右側に伸びた範囲となっている。バー画像Ｉｍ0bの時間範囲を時間範囲TR1(+)と一致させてもよい。
【００５３】
サムネイル生成部１４が生成した時間位置tnD10〜tnD14それぞれにおけるサムネイル画像は、再生開始位置選択画像Ｉｍ０内の時間位置tnD10〜tnD14に対応した位置に配置され、サムネイル画像Ｉtn10〜Ｉtn14として表示される。
【００５４】
図７に示す例では、決定キー４０６が押下されて一時停止したコンテンツデータの時間位置t0に“一時停止位置”と表示している。“一時停止位置”と表示することにより、ユーザはどの時間位置で一時停止したのか容易に理解することができる。再生開始位置選択画像Ｉｍ０が画面５０ｓに表示された初期の状態では、カーソル画像Ｉcurは一時停止位置であるサムネイル画像Ｉtn14の位置にあり、サムネイル画像Ｉtn14を選択している。
【００５５】
コンテンツデータはサムネイル画像Ｉtn14と同じ状態の静止画として画面５０ｓに表示されており、その静止画に再生開始位置選択画像Ｉｍ０が重畳されている。
【００５６】
図８は、後述するステップＳ１２において、リモートコントローラ４０の右カーソルキー４０７または左カーソルキー４０８を押下して、カーソル画像Ｉcurをサムネイル画像Ｉtn12に移動させた状態を示している。右カーソルキー４０７または左カーソルキー４０８を押下することによって、カーソル画像Ｉcurをサムネイル画像Ｉtn10〜Ｉtn14の任意の位置に移動させることができる。
【００５７】
図２に戻り、動作制御部１０は、ステップＳ９にて、通常再生の指示があったか否かを判定する。図８のようにサムネイル画像Ｉtn12が選択されている状態で、決定キー４０６が押下されると、図９に示すように、選択しているサムネイル画像はいわゆるフォーカスされた状態である選択確定の状態とされる。ここでは、動作制御部１０は、選択確定の状態を示す例えば枠画像Ｉfmを重畳するよう映像データ処理部３１を制御する。
【００５８】
図９のように選択確定の状態で再生キー４０１が押下されたら（YES）、動作制御部１０は、ステップＳ２２にて、選択されているサムネイル画像からの通常再生に移行させる。再生キー４０１が押下されなかったら（NO）、動作制御部１０は、処理をステップＳ１０に移行させる。
【００５９】
ステップＳ９では、図７，図８のように単にサムネイル画像を選択している状態であり、決定キー４０６によって選択確定の状態としていない状態でも再生キー４０１が押下されたら、通常再生に移行させるようにしてもよい。
【００６０】
動作制御部１０は、ステップＳ１０にて、プレビュー再生の指示があったか否かを判定する。図９のようにサムネイル画像Ｉtn10〜Ｉtn14のいずれかが選択確定の状態で決定キー４０６が押下されたら、動作制御部１０はプレビュー再生の指示があったと判定する。
【００６１】
プレビュー再生の指示なければ（NO）、動作制御部１０は、ステップＳ１１にて、右カーソルキー４０７または左カーソルキー４０８の押下によるカーソル画像Ｉcurの移動操作があったか否かを判定する。カーソル画像Ｉcurの移動操作があれば（YES）、動作制御部１０は、ステップＳ１２にて、カーソル画像Ｉcurを移動させて、処理をステップＳ９に移行させる。カーソル画像Ｉcurの移動操作がなければ（NO）、動作制御部１０は、処理をステップＳ１３に移行させる。
【００６２】
動作制御部１０は、ステップＳ１３にて、再生開始位置詳細選択画像への移行指示があったか否かを判定する。再生開始位置詳細選択画像への移行指示がなければ（NO）、動作制御部１０は、処理をステップＳ９へと戻し、移行指示があれば（YES）、処理をステップＳ１８へと移行させる。再生開始位置詳細選択画像については後述する。
【００６３】
図１０は、遅延最大時間Dを２秒、高速再生の倍率（倍速数）nを４０、時間範囲TR1(+)を８０秒、分割数ｘを４とし、時間位置t0が３０分００秒（30:00）であったときの、具体的な再生開始位置選択画像Ｉｍ０の例を示している。28:40，29:00，29:20，29:40，30:00の時間位置にサムネイル画像Ｉtn10〜Ｉtn14が表示されている。
【００６４】
図１０におけるサムネイル画像Ｉtn10〜Ｉtn14は図９におけるそれとは異なる画像を示しており、カーソル画像Ｉcurをサムネイル画像Ｉtn11に移動させて選択確定とした状態を示している。
【００６５】
図９，図１０のようにサムネイル画像Ｉtn10〜Ｉtn14のいずれかを選択確定の状態として再生キー４０１を押下すれば、通常再生に移行させることができ、決定キー４０６を押下すれば、プレビュー再生へと移行させることができる。
【００６６】
ステップＳ１０にてプレビュー再生の指示があれば（YES）、動作制御部１０は、ステップＳ１４にて、プレビュー再生を実行させる。例えば図１０において、サムネイル画像Ｉtn11が選択確定の状態で決定キー４０６が押下されて、プレビュー再生の指示があった場合には、動作制御部１０は、サムネイル画像Ｉtn11以降の映像データをプレビュー再生させる。このとき、再生開始位置選択画像Ｉｍ０が消去されてサムネイル画像Ｉtn11以降の映像データが子画面として再生されてもよいし、サムネイル画像Ｉtn11以降の映像データが全画面で再生されてもよい。
【００６７】
動作制御部１０は、ステップＳ１５にて、所定時間が経過したか否かを判定する。所定時間は例えば５〜１０秒である。所定時間が経過していれば（YES）、動作制御部１０は、処理をステップＳ２２に移行させる。所定時間が経過していなければ（NO）、動作制御部１０は、ステップＳ１６にて、通常再生への移行指示があったか否かを判定する。動作制御部１０は、プレビュー再生中に再生キー４０１が押下されたら通常再生への移行指示があったと判定し（YES）、処理をステップＳ２２に移行させる。
【００６８】
なお、ステップＳ１６は省略可能である。特にプレビュー再生が全画面表示での再生の場合には、見かけ上、通常再生と異ならないためステップＳ１６を省略してもよい。
【００６９】
通常再生への移行指示がなければ（NO）、動作制御部１０は、ステップＳ１７にて、再生開始位置詳細選択画像への移行指示があったか否かを判定する。再生開始位置詳細選択画像への移行指示がなければ（NO）、動作制御部１０は処理をステップＳ１５に戻す。
【００７０】
ステップＳ１３，Ｓ１７における再生開始位置詳細選択画像とは、図９，図１０に示す再生開始位置選択画像Ｉｍ０をさらに細かい時間位置のサムネイル画像に細分化した画像である。
【００７１】
再生開始位置詳細選択画像への移行指示があれば（YES）、動作制御部１０は、ステップＳ１８にて、映像データ処理部３１によって再生開始位置詳細選択画像を生成させるよう制御し、映像表示装置５０の画面５０ｓに再生開始位置詳細選択画像を表示させる。映像データ処理部３１は、再生開始位置詳細選択画像生成部である。
【００７２】
まず、図３を用いて、プレビュー再生を実行させないで図７，図８の状態から再生開始位置詳細選択画像へと移行させる場合であるステップＳ１３及びステップＳ１８の詳細について説明する。図３に示すように、ステップＳ１３は、具体的には、ステップＳ１３１〜Ｓ１３４の４つのステップを含み、ステップＳ１８は、具体的には、ステップＳ１８１〜Ｓ１８９の各ステップを含む。
【００７３】
動作制御部１０は、ステップＳ１３１にて、決定キー４０６の押下による選択確定の操作があったか否かを判定する。選択確定の操作がなければ（NO）、動作制御部１０は、処理を図２のステップＳ９に戻す。選択確定の操作があれば（YES）、動作制御部１０は、ステップＳ１３２にて、右カーソルキー４０７が押下されたか否かを判定する。選択確定の操作がなされると、図９，図１０のような状態となる。右カーソルキー４０７が押下されれば（YES）、動作制御部１０は、処理をステップＳ１８１に移行させる。
【００７４】
右カーソルキー４０７が押下されなければ（NO）、動作制御部１０は、ステップＳ１３３にて、左カーソルキー４０８が押下されたか否かを判定する。左カーソルキー４０８が押下されれば（YES）、動作制御部１０は、処理をステップＳ１８４に移行させる。
【００７５】
左カーソルキー４０８が押下されなければ（NO）、動作制御部１０は、ステップＳ１３４にて、下カーソルキー４０９が押下されたか否かを判定する。下カーソルキー４０９が押下されれば（YES）、動作制御部１０は、処理をステップＳ１８７に移行させる。下カーソルキー４０９が押下されなければ（NO）、動作制御部１０は、処理を図２のステップＳ９に戻す。
【００７６】
次に、図４を用いて、プレビュー再生を実行させている状態で再生開始位置詳細選択画像へと移行させる場合であるステップＳ１７及びステップＳ１８の詳細について説明する。図４に示すように、ステップＳ１７は、具体的には、ステップＳ１７１〜Ｓ１７３の３つのステップを含む。図４では理解を容易にするため、図３と同じステップＳ１８の詳細を併せて記載している。
【００７７】
動作制御部１０は、ステップＳ１７１にて、右カーソルキー４０７が押下されたか否かを判定する。右カーソルキー４０７が押下されれば（YES）、動作制御部１０は、処理をステップＳ１８１に移行させる。右カーソルキー４０７が押下されなければ（NO）、動作制御部１０は、ステップＳ１７２にて、左カーソルキー４０８が押下されたか否かを判定する。左カーソルキー４０８が押下されれば（YES）、動作制御部１０は、処理をステップＳ１８４に移行させる。
【００７８】
左カーソルキー４０８が押下されなければ（NO）、動作制御部１０は、ステップＳ１７３にて、下カーソルキー４０９が押下されたか否かを判定する。下カーソルキー４０９が押下されれば（YES）、動作制御部１０は、処理をステップＳ１８７に移行させる。下カーソルキー４０９が押下されなければ（NO）、動作制御部１０は、処理を図２のステップＳ１５に戻す。
【００７９】
図９の状態、または、図９の状態からプレビュー再生を実行させている状態で、右カーソルキー４０７、左カーソルキー４０８、下カーソルキー４０９が押下された場合のそれぞれの再生開始位置詳細選択画像について説明する。
【００８０】
右カーソルキー４０７が押下されると、動作制御部１０は、サムネイル画像Ｉtn12と右隣のサムネイル画像Ｉtn13との間を細分化した図１１に示すような再生開始位置詳細選択画像Ｉｍ１Ｒを画面５０ｓに表示させる。再生開始位置詳細選択画像Ｉｍ１Ｒは、図９で選択されていたサムネイル画像Ｉtn12に対して時間がプラス方向の再生開始位置詳細選択画像である。
【００８１】
再生開始位置詳細選択画像Ｉｍ１Ｒは、図３，図４のステップＳ１８１〜Ｓ１８３に示す手順で生成されて画面５０ｓに表示される。サムネイル画像Ｉtn12は時間位置tnD12のサムネイル画像であり、サムネイル画像Ｉtn13は時間位置tnD13のサムネイル画像である。時間位置tnD12〜tnD13の時間範囲TR2はnD/4である。動作制御部１０内の時間位置抽出部１３は、ステップＳ１８１にて、時間範囲TR2を分割数ｘとして４で分割した候補時間位置を抽出する。
【００８２】
ここではステップＳ１８１における分割数ｘをステップＳ６における分割数ｘと同じ４としているが、両者は異なる数でもよい。
【００８３】
図１１に示すように、時間位置tnD12〜tnD13の時間範囲TR2は、それぞれnD/42の時間を有する４つの領域に分割される。時間位置tnD12から２〜４番目の領域の先頭の時間位置をそれぞれtnD231，tnD232，tnD233とする。
【００８４】
サムネイル生成部１４は、ステップＳ１８２にて、時間位置tnD12，tnD231〜tnD233，tnD13それぞれにおけるサムネイル画像を生成するか、キャッシュ情報管理部２２より読み出す。時間位置tnD12と時間位置tnD13のサムネイル画像はキャッシュ情報管理部２２に記憶されているので、サムネイル生成部１４はキャッシュ情報管理部２２よりサムネイル画像を読み出せばよい。
【００８５】
動作制御部１０は、ステップＳ１８３にて、映像データ処理部３１によって時間プラス方向の再生開始位置詳細選択画像Ｉｍ１Ｒを作成させるよう制御し、映像表示装置５０の画面５０ｓに再生開始位置詳細選択画像Ｉｍ１Ｒを表示させる。
【００８６】
図１１に示すように、再生開始位置詳細選択画像Ｉｍ１Ｒは、再生開始位置選択画像Ｉｍ０のバー画像Ｉｍ0bと同様のバー画像Ｉｍ1bを含む。サムネイル生成部１４が生成または読み出した時間位置tnD12，tnD231〜tnD233，tnD13それぞれのサムネイル画像は、再生開始位置詳細選択画像Ｉｍ１Ｒの時間位置tnD12，tnD231〜tnD233，tnD13に対応した位置に配置され、サムネイル画像Ｉtn12，Ｉtn231，Ｉtn232，Ｉtn233，Ｉtn13として表示される。
【００８７】
図１１及び後述する図１２，図１３では、理解を容易にするために、実際には画面５０ｓに表示されない情報を含んでいる。勿論、図１１〜図１３に示す全ての情報を画面５０ｓに表示してもよい。
【００８８】
左カーソルキー４０８が押下されると、動作制御部１０は、サムネイル画像Ｉtn12と左隣のサムネイル画像Ｉtn11との間を細分化した図１２に示すような再生開始位置詳細選択画像Ｉｍ１Ｌを画面５０ｓに表示させる。再生開始位置詳細選択画像Ｉｍ１Ｌは、図９で選択されていたサムネイル画像Ｉtn12に対して時間がマイナス方向の再生開始位置詳細選択画像である。
【００８９】
再生開始位置詳細選択画像Ｉｍ１Ｌは、ステップＳ１８４〜Ｓ１８６に示す手順で生成されて画面５０ｓに表示される。サムネイル画像Ｉtn11は時間位置tnD1１のサムネイル画像であり、サムネイル画像Ｉtn12は時間位置tnD12のサムネイル画像である。動作制御部１０内の時間位置抽出部１３は、ステップＳ１８４にて、時間位置tnD11〜tnD12の時間範囲TR2を４で分割した候補時間位置を抽出する。図１２に示すように、時間範囲TR2は、それぞれnD/42の時間を有する４つの領域に分割される。
【００９０】
図１２では、時間位置tnD11から２〜４番目の領域の先頭の時間位置をそれぞれtnD121，tnD122，tnD123とする。
【００９１】
サムネイル生成部１４は、ステップＳ１８５にて、時間位置tnD11，tnD121〜tnD123，tnD12それぞれにおけるサムネイル画像を生成するか、キャッシュ情報管理部２２より読み出す。動作制御部１０は、ステップＳ１８６にて、映像データ処理部３１によって時間マイナス方向の再生開始位置詳細選択画像Ｉｍ１Ｌを作成させるよう制御し、映像表示装置５０の画面５０ｓに再生開始位置詳細選択画像Ｉｍ１Ｌを表示させる。
【００９２】
図１２に示すように、サムネイル生成部１４が生成または読み出した時間位置tnD11，tnD121〜tnD123，tnD12それぞれのサムネイル画像は、再生開始位置詳細選択画像Ｉｍ１Ｌの時間位置tnD11，tnD121〜tnD123，tnD12対応した位置に配置され、サムネイル画像Ｉtn11，Ｉtn121，Ｉtn122，Ｉtn123，Ｉtn12として表示される。
【００９３】
下カーソルキー４０９が押下されると、動作制御部１０は、サムネイル画像Ｉtn12を中心としてサムネイル画像Ｉtn12前後の所定の時間範囲を細分化した図１３に示すような再生開始位置詳細選択画像Ｉｍ１Ｄを画面５０ｓに表示させる。再生開始位置詳細選択画像Ｉｍ１Ｄは、図９で選択されていたサムネイル画像Ｉtn12を中心とした周辺の再生開始位置詳細選択画像である。
【００９４】
再生開始位置詳細選択画像Ｉｍ１Ｄは、ステップＳ１８７〜Ｓ１８９に示す手順で生成されて画面５０ｓに表示される。サムネイル画像Ｉtn12は時間位置tnD12のサムネイル画像である。再生開始位置詳細選択画像Ｉｍ１Ｄにおいては、時間位置tnD12を中心としたnD/4の時間範囲TR2が設定される。動作制御部１０内の時間位置抽出部１３は、ステップＳ１８７にて、間範囲TR2を４で分割した候補時間位置を抽出する。時間範囲TR2は、それぞれnD/42の時間を有する４つの領域に分割される。
【００９５】
図１３では、３番目の領域の先頭が時間位置tnD12であり、１，２，４番目の領域の先頭の時間位置をそれぞれtnD12L2，tnD12L1，tnD12R1とし、４番目の領域の後端の時間位置をtnD12R2とする。
【００９６】
サムネイル生成部１４は、ステップＳ１８８にて、時間位置tnD12L2，tnD12L1，tnD12，tnD12R1，tnD12R2それぞれにおけるサムネイル画像を生成するか、キャッシュ情報管理部２２より読み出す。動作制御部１０は、ステップＳ１８９にて、映像データ処理部３１によって中心周辺の再生開始位置詳細選択画像Ｉｍ１Ｄを作成させるよう制御し、映像表示装置５０の画面５０ｓに再生開始位置詳細選択画像Ｉｍ１Ｄを表示させる。
【００９７】
図１３に示すように、サムネイル生成部１４が生成または読み出した時間位置tnD12L2，tnD12L1，tnD12，tnD12R1，tnD12R2それぞれのサムネイル画像は、再生開始位置詳細選択画像Ｉｍ１Ｄの時間位置tnD12L2，tnD12L1，tnD12，tnD12R1，tnD12R2対応した位置に配置され、サムネイル画像Ｉtn12L2，Ｉtn12L1，Ｉtn12，Ｉtn12R1，Ｉtn12R2として表示される。
【００９８】
図１１〜図１３に示す再生開始位置詳細選択画像Ｉｍ１Ｒ，Ｉｍ１Ｌ，Ｉｍ１Ｄを再生開始位置詳細選択画像Ｉｍ１と総称する。
【００９９】
時間位置抽出部１３（第２の時間位置抽出部）は、再生開始位置選択画像Ｉｍ１における隣接する２つの第１のサムネイル画像の時間位置により決まる第２の時間範囲（TR2）、または、再生開始位置選択画像Ｉｍ１における１つの第１のサムネイル画像の時間位置を中心とした第２の時間範囲（TR2）を設定している。時間位置抽出部１３は、第２の時間範囲を所定の分割数ｘで分割したそれぞれの第２の分割時間位置（図１１ではtnD231〜tnD233、図１２ではtnD121〜tnD123、図１３ではtnD12L1，tnD12R1）を抽出している。
【０１００】
サムネイル生成部１４（第２のサムネイル生成部）は、第２の時間範囲の両端と第２の分割時間位置それぞれにおける映像データの第２のサムネイル画像を生成している。
【０１０１】
ところで、プレビュー再生を実行させている状態で再生開始位置詳細選択画像Ｉｍ１へと移行させた場合には、再生開始位置詳細選択画像Ｉｍ１に初期状態で表示するカーソル画像Ｉcurの位置を次のようにすることが好ましい。右カーソルキー４０７，左カーソルキー４０８，下カーソルキー４０９を押下してプレビュー再生を中断したタイミング以前の時間位置で、そのタイミングに最も近い時間位置のサムネイル画像にカーソル画像Ｉcurを表示させる。
【０１０２】
このようにすると、再生開始位置詳細選択画像Ｉｍ１に移行させた以降で再生開始位置を選択する操作性を向上させることができる。
【０１０３】
図２に戻り、動作制御部１０は、図１１〜図１３に示すいずれかの再生開始位置詳細選択画像Ｉｍ１が画面５０ｓに表示されている状態で、ステップＳ１９にて、戻り操作がなされたか否かを判定する。第１実施形態においては、上カーソルキー４１０を戻り操作のためのキーとする。上カーソルキー４１０が押下されたら、動作制御部１０は、処理をステップＳ２０に移行させ、上カーソルキー４１０が押下されなかったら、動作制御部１０は、処理をステップＳ９に戻す。
【０１０４】
図２より分かるように、処理がステップＳ９に戻ると、上述したステップＳ９〜Ｓ１８を再び繰り返すことができる。従って、第１実施形態においては、図１１〜図１３に示すそれぞれの再生開始位置詳細選択画像Ｉｍ１をさらに細かい時間位置のサムネイル画像に細分化した再生開始位置詳細選択画像を画面５０ｓに表示させることができる。
【０１０５】
再生開始位置詳細選択画像Ｉｍ１を第１階層の再生開始位置詳細選択画像とすると、再生開始位置詳細選択画像Ｉｍ１を細分化した再生開始位置詳細選択画像は第２階層となる。第２階層の再生開始位置詳細選択画像では、図１１〜図１３におけるnD/42の時間範囲が４つの領域に分割され、nD/42の時間範囲の両端と中間の３つの時間位置にサムネイル画像が表示されることになる。
【０１０６】
図２では特に示していないが、再生開始位置詳細選択画像を第何階層まで表示させるかは、詳細化可能な限度を考慮して適宜設定すればよい。また、最終の階層を第２階層または第３階層のように固定としてもよい。
【０１０７】
上カーソルキー４１０が押下されたら、動作制御部１０は、ステップＳ２０にて、現在表示されている再生開始位置詳細選択画像が第１階層であるか否かを判定する。再生開始位置詳細選択画像が第１階層であれば、動作制御部１０は、処理をステップＳ８に戻し、図７，図８のような再生開始位置選択画像Ｉｍ０を表示させる。再生開始位置詳細選択画像が第１階層でなければ、動作制御部１０は、ステップＳ２１にて、１つ上の階層の再生開始位置詳細選択画像に戻して、処理をステップＳ９に戻す。
【０１０８】
動作制御部１０は、ステップＳ２２にて、コンテンツデータを通常再生する。動作制御部１０は、ステップＳ２３にて、停止キー４０２が押下されて再生停止操作がなされてか否かを判定する。再生停止操作がなされなければ（NO）、動作制御部１０は、ステップＳ２２におけるコンテンツデータの通常再生を繰り返す。再生停止操作がなされれば（YES）、動作制御部１０は、ステップＳ２４にて、コンテンツデータの再生を停止して終了する。
【０１０９】
図１４を用いて、以上説明した第１実施形態による具体的な一連の動作の例について説明する。図１４において（ａ）は、図１０と同じ再生開始位置選択画像Ｉｍ０を示している。図１４の（ａ）では、図１０に示す枠を省略して再生開始位置選択画像Ｉｍ０を簡略化した状態を示している。
【０１１０】
図１４の（ａ）に示す再生開始位置選択画像Ｉｍ０において、時間位置29:00のサムネイル画像を選択確定させた状態で右カーソルキー４０７が押下されるか、図１４の（ａ）の状態からプレビュー再生を実行している状態で、右カーソルキー４０７が押下されると、図１１の（ｂ）に示す第１階層の再生開始位置詳細選択画像Ｉｍ１Ｒとなる。図１１の（ｂ）でも、枠を省略して再生開始位置詳細選択画像Ｉｍ１Ｒを簡略化した状態を示している。
【０１１１】
再生開始位置詳細選択画像Ｉｍ１Ｒでは、時間位置29:00と時間位置29:20との間の時間が細分化されている。29:00，29:05，29:10，29:15，29:20の時間位置にサムネイル画像が表示されている。
【０１１２】
図１４の（ｂ）に示す再生開始位置詳細選択画像Ｉｍ１Ｒにおいて、時間位置29:10のサムネイル画像を選択確定させた状態で下カーソルキー４０９が押下されるか、図１４の（ｂ）の状態からプレビュー再生を実行している状態で、下カーソルキー４０９が押下されると、図１４の（ｃ）に示す第２階層の再生開始位置詳細選択画像Ｉｍ２Ｄとなる。
【０１１３】
再生開始位置詳細選択画像Ｉｍ２Ｄは、バー画像Ｉｍ2bを含む。図１４の（ｃ）でも、枠を省略して再生開始位置詳細選択画像Ｉｍ２Ｄを簡略化した状態を示している。再生開始位置詳細選択画像Ｉｍ２Ｄでは、時間位置29:10の前後の時間が細分化されている。29:07，29:08，29:10，29:11，29:12の時間位置にサムネイル画像が表示されている。ここでは時間位置における小数点以下を非表示としており、29:07，29:08，29:10，29:11，29:12は実際には均等の時間間隔となっている。
【０１１４】
以上のように、第１実施形態によれば、映像データを早送りまたは早戻しさせている場合に、ユーザが所望する通常再生に移行させる時間位置をより確実に容易に抽出することができる。
【０１１５】
＜第２実施形態の映像データ再生方法＞
上述した一実施形態の映像データ再生装置１００による動作であり、第２実施形態の映像データ再生方法について説明する。図１５〜図１９を用いて説明する第２実施形態は、映像データを一度に３０秒，６０秒等の固定の時間だけジャンプさせた後に１倍速の通常再生に移行させるジャンプ再生を行った場合に、通常再生の開始位置をユーザが所望する時間位置に移動させた上で通常再生させる例を示している。図１５に示すフローチャートの各ステップの処理は、動作制御部１０において実行される。
【０１１６】
第２実施形態の説明において、第１実施形態と共通部分の説明を適宜省略し、相違点を中心に説明することとする。
【０１１７】
図１５において、動作制御部１０は、コンテンツデータの通常再生中に、ステップＳ３１にて、ジャンプキー４０５の押下によってｍ秒ジャンプの指示があったか否かを判定する。ｍ秒は３０秒，６０秒等である。ジャンプキー４０５の１回の押下で３０秒のジャンプとし、ジャンプキー４０５が２回連続して押下されれば６０秒のジャンプ、３回連続して押下されれば９０秒のジャンプ、４回連続して押下されれば１２０秒のジャンプのようにしてもよい。
【０１１８】
ｍ秒ジャンプの指示があれば（YES）、動作制御部１０は、ステップＳ３２にて、ｍ秒ジャンプした位置からプレビュー再生を実行させる。ｍ秒ジャンプの指示がなければ（NO）、動作制御部１０は、ステップＳ３１の処理を繰り返す。
【０１１９】
動作制御部１０は、ステップＳ３３にて、所定時間が経過したか否かを判定する。所定時間が経過していれば（YES）、動作制御部１０は、処理をステップＳ５２に移行させる。所定時間が経過していなければ（NO）、動作制御部１０は、ステップＳ３４にて、再生開始位置を選択する操作がなされたか否かを判定する。第２実施形態においても、決定キー４０６が押下されると、再生開始位置を選択する操作に移行させるものとする。
【０１２０】
再生開始位置を選択する操作がなければ（NO）、動作制御部１０は、ステップＳ３２〜Ｓ３４を繰り返すよう、処理をステップＳ３２に戻す。
【０１２１】
ステップＳ３４にて再生開始位置を選択する操作がなされたら（YES）、動作制御部１０は、ステップＳ３５にて、プレビュー再生中のコンテンツデータを一時停止させる。動作制御部１０内の時間位置抽出部１３は、ステップＳ３６にて、候補時間位置を抽出する。
【０１２２】
図１６，図１７を用いて、ステップＳ３６における候補時間位置の抽出について説明する。決定キー４０６が押下されて一時停止したコンテンツデータの再生時間における時間位置をt0とする。時間位置抽出部１３は、図１６の概念図に示すように、正方向に再生しているときのｍ秒ジャンプの場合には、時間位置t0と、時間位置t0よりも前の時間位置t0-mとの間の時間範囲TJ1(+)を設定する。
【０１２３】
時間位置抽出部１３は、図１６の概念図に示すように、逆方向に再生しているときのｍ秒ジャンプの場合には、時間位置t0と、時間位置t0よりも後の時間位置t0+mとの間の時間範囲TJ1(-)を設定する。このように、時間範囲TJ1(+)，TJ1(-)はｍ秒ジャンプのｍの値に応じた時間となる。
【０１２４】
正方向に再生しているときにｍ秒ジャンプさせた場合、ユーザが本来再生を開始したい時間位置はほぼ時間範囲TJ1(+)内に位置する。逆方向に再生しているときにｍ秒ジャンプさせた場合、ユーザが本来再生を開始したい時間位置はほぼ時間範囲TJ1(-)内に位置する。
【０１２５】
次に、時間位置抽出部１３は、時間範囲TJ1(+)または時間範囲TJ1(-)を所定の分割数ｘで分割する。第２実施形態においても、分割数ｘを４とする。以下、正方向に再生しているときにｍ秒ジャンプの場合で時間範囲TJ1(+)を設定した場合について説明する。
【０１２６】
図１７に示すように、時間位置t0〜t0-mの時間範囲TJ1(+)は、それぞれm/4の時間を有する４つの領域に分割される。時間位置t0-mを時間位置tJ10、時間位置t0を時間位置tJ14とし、時間位置tJ10から２〜４番目の領域の先頭の時間位置をそれぞれtJ11，tJ12，tJ13とする。
【０１２７】
時間位置抽出部１３が抽出した時間位置tJ10〜tJ14を示す情報は、サムネイル生成部１４に入力される。サムネイル生成部１４は、ステップＳ３７にて、時間位置tJ10〜tJ14それぞれにおけるサムネイル画像を生成する。動作制御部１０は、ステップＳ３８にて、映像データ処理部３１によって再生開始位置選択画像を作成させるよう制御し、映像表示装置５０の画面５０ｓに再生開始位置選択画像を表示させる。
【０１２８】
図１８は、映像表示装置５０の画面５０ｓに表示される再生開始位置選択画像Ｉｍ20の例を示している。図１８は、時間位置t0を30:00、ｍ秒ジャンプのｍを６０秒とした例を示している。再生開始位置選択画像Ｉｍ20は、所定の時間範囲のコンテンツデータを水平方向に伸びたバーで概念的に示すバー画像Ｉｍ20bを含む。バー画像Ｉｍ20bの時間範囲は、時間範囲TJ1(+)を含む範囲である。
【０１２９】
サムネイル生成部１４が生成した29:00，29:15，29:30，29:45，30:00の時間位置それぞれにおけるサムネイル画像は、再生開始位置選択画像Ｉｍ20内のそれぞれの時間位置に対応した位置に配置され、サムネイル画像Ｉtn20，Ｉtn21，Ｉtn22，Ｉtn23，Ｉtn24として表示される。
【０１３０】
ステップＳ３８にて図１８に示すような再生開始位置選択画像Ｉｍ20を表示させたら、動作制御部１０は、処理をステップＳ３９に移行させる。図１５におけるステップＳ３９〜Ｓ５４は、図２におけるステップＳ９〜Ｓ２４と実質的に同じであり、説明を省略する。
【０１３１】
図１９は、ステップＳ３９にて通常再生に移行させるため、ステップＳ４０にてプレビュー再生を実行させるため、ステップＳ４３にて再生開始位置詳細選択画像に移行させるために、図１８の状態からカーソル画像Ｉcurをサムネイル画像Ｉtn21に移動させ、決定キー４０６の押下によって枠画像Ｉfmを重畳させた選択確定の状態を示している。
【０１３２】
再生開始位置選択画像Ｉｍ20から再生開始位置詳細選択画像への移行について説明する。第２実施形態においても第１実施形態と同様に、図１９の状態から、ステップＳ４３にて、右カーソルキー４０７，左カーソルキー４０８，下カーソルキー４０９のいずれかが押下されると、動作制御部１０は、ステップＳ４８にて、右カーソルキー４０７，左カーソルキー４０８，下カーソルキー４０９それぞれに対応した再生開始位置詳細選択画像へと移行させる。
【０１３３】
第２実施形態によれば、映像データを正方向または逆方向に再生していて固定の時間だけジャンプさせた後に引き続き再生する場合に、ユーザが所望する時間位置を行き過ぎたとしても、再生する位置を補正した上で映像データを再生することができる。第２実施形態においても、ユーザが所望する再生の時間位置をより確実に容易に抽出することができる。
【０１３４】
＜第３実施形態の映像データ再生方法＞
上述した一実施形態の映像データ再生装置１００による動作であり、第３実施形態の映像データ再生方法について説明する。第１及び第２実施形態においては、ユーザが所望する通常再生を開始する時間位置を抽出し、再生開始位置を抽出した時間位置に補正して通常再生に移行させる例を示している。図１４で説明した一連の操作による特定の時間位置を抽出する方法は、コンテンツデータを視聴する際の再生の他にも、コンテンツデータを編集する作業を行う際の再生にも用いることが可能である。
【０１３５】
コンテンツデータの編集作業においては、例えばコンテンツデータの部分削除のため、削除する時間範囲の最初のフレームと最後のフレームを指定する場合がある。また、コンテンツデータにおける残す時間範囲の最初のフレームと最後のフレームを指定する場合もある。これらの場合、コンテンツデータを、１倍速を含む所定の倍速で正方向または逆方向に再生して、削除する時間範囲または残す時間範囲を探す。
【０１３６】
第１実施形態において詳述した特定の時間位置を抽出する方法は、例えばコンテンツデータの編集作業の際に、コンテンツデータの特定の時間位置におけるフレームを指定する場合にも利用できる。
【０１３７】
本発明は以上説明した第１〜第３実施形態に限定されることはなく、本発明の要旨を逸脱しない範囲において種々変更可能である。図１においては、動作制御部１０をハードウェアで構成しているが、動作制御部１０をコンピュータプログラムによるソフトウェアによって構成してもよい。
【０１３８】
この場合、第１〜第３実施形態と等価な処理を実行させる映像データ再生プログラムを記憶媒体に記憶しておき、マイクロコンピュータによって映像データ再生プログラムを動作させればよい。映像データ再生プログラムを記憶する記憶媒体は、動作制御部１０に内蔵させてもよいし外部に設けてもよい。映像データ再生プログラムを、ネットワークを介して記憶媒体にインストールさせてもよい。
【０１３９】
図１では、映像表示装置５０と映像データ再生装置１００とが別体の例を示したが、映像表示装置５０と映像データ再生装置１００とを一体化させた構成であってもよい。映像データ再生装置１００は映像データの記録機能を有し、映像データ記録再生装置であってもよい。
【符号の説明】
【０１４０】
１０  動作制御部
１１  操作入力制御部
１２  再生動作制御部
１３  時間位置抽出部
１４  サムネイル生成部
２０  データ管理部
２１  コンテンツデータ管理部
２２  キャッシュ情報管理部
３０  表示処理部
３１  映像データ処理部（再生開始位置選択画像生成部，再生開始位置詳細選択画像生成部）
３２  映像データ送出部
４０  リモートコントローラ
５０  映像表示装置
１００  映像データ再生装置
【図１】
2014027380.tif 000003
【図２】
2014027380.tif 000004
【図３】
2014027380.tif 000005
【図４】
2014027380.tif 000006
【図５】
2014027380.tif 000007
【図６】
2014027380.tif 000008
【図７】
2014027380.tif 000009
【図８】
2014027380.tif 000010
【図９】
2014027380.tif 000011
【図１０】
2014027380.tif 000012
【図１１】
2014027380.tif 000013
【図１２】
2014027380.tif 000014
【図１３】
2014027380.tif 000015
【図１４】
2014027380.tif 000016
【図１５】
2014027380.tif 000017
【図１６】
2014027380.tif 000018
【図１７】
2014027380.tif 000019
【図１８】
2014027380.tif 000020
【図１９】
2014027380.tif 000021